(57)【要約】【課題】簡単に取付け取り外しのできる電池による電動ブラインドを提供する。【解決手段】内壁１１２に囲まれた収納空間１１３を形成するトップレール１１と、スラット群１２と、トップレール１１の収納空間１１３に配設され、スラット群１２と連結された伝動機構１３とを有しており、トップレール１１の外壁１１１上にさらに少なくとも１つの電池収納室１１５を形成し、電池収納室１１５は外向きに開口部１１６を形成しているので、電池１３４の配設に便利であり、しかも電池１３４は伝動機構１３と電気的に接続されているので、伝動機構１３にスラット群１２を作動させる電力源を供給できる。【選択図】　　図２
2004019287.tif 000002
【特許請求の範囲】
【請求項１】
主に、内壁に囲まれた収納空間を形成するトップレールと、スラット群と、該トップレールの収納空間に配設されて、該スラット群に連結された伝動機構とを有する電動ブラインドにおいて、
該トップレールの外壁上にさらに少なくとも１つの電池収納室を形成し、該電池収納室は外向きに開口部を形成しており、電池の配設に便利で、該電池は該伝動機構と電気的に接続されており、該伝動機構に該スラット群を作動させる電力源を供給できることを特徴とする電動ブラインド。
【請求項２】
さらに該開口部を密閉するためのカバー板を備えることを特徴とする請求項１記載の電動ブラインド。
【請求項３】
該電池収納室が該トップレール外壁から内向きに所定の深さと幅に窪んで形成されていることを特徴とする請求項１記載の電動ブラインド。
【請求項４】
該電池収納室にはさらに、電池の電気を導電物質から該伝動機構に伝導するのに役立つ内向きに該収納空間に連通する穿孔が形成されていることを特徴とする請求項３記載の電動ブラインド。
【請求項５】
さらに電池収納台を備え、該電池収納台は該トップレールの外壁上に配設され、該電池収納室が該電池収納台の内部に形成され、該開口部が該電池収納台の１つの側に形成されていることを特徴とする請求項１記載の電動ブラインド。
【請求項６】
主に、内壁に囲まれた収納空間を形成するトップレールと、スラット群と、該トップレールの収納空間に配設されて、該スラット群に連結された伝動機構とを有する電動ブラインドにおいて、
該トップレールの外壁上に収納空間に連通する開口部を形成し、該収納空間に該開口部に相対する電池接続台を配設して、電池を該開口部からセットするとともに該電池接続台に固設し、該電池接続台が該伝動機構と電気的に接続されていて、該電池の電力を該伝動機構に伝動することを特徴とする電動ブラインド。
【請求項７】
さらに該開口部を密閉するためのカバー板を備えることを特徴とする請求項６記載の電動ブラインド。
【請求項８】
該電池接続台は該開口部に対向する一端上に、該電池と電気的に接続するのに用いる導電可能な導電端子を形成することを特徴とする請求項７記載の電動ブラインド。
【発明の詳細な説明】
【０００１】
【発明の属する技術分野】
本発明は、電動ブラインドに関する。
【０００２】
【従来の技術】
一般の電動ブラインドでは大体において、図１に示されるように、内部に収納空間を形成するトップレール１と、ボトムレール２と、トップレール１とボトムレール２との間に介在する若干のスラット３と、該トップレール１の収納空間に配設されて、伝動アセンブリ５、モータ６及び電池７を備え、該伝動アセンブリ５が昇降コードまたはラダーコードを利用してボトルレール２またはスラット３と連結しており、該モータ６が該伝動アセンブリ５と連結され、該電池７が該モータ６と電気的に接続されて、該モータ６を該電池７の電力によって作動させ、さらに該伝動アセンブリ５を動かして該ボトムレール２またはスラット３を同時に動かすことで、ボトムレール２のアップまたはダウン及び該スラット３の傾斜角度を電動制御する伝動装置４とを有している。
【０００３】
【発明が解決しようとする課題】
しかし、上記電動ブラインドでは、該電池７はトップレール１の収納空間に配設され、トップレール１の外壁を利用して隔離されているが、伝動装置４の電池７は消耗品であり、一定の使用消耗電力量しかなく、該電池７の電力が消耗すると、取り外して新品と交換または充電する必要があるが、一般にトップレールはいずれも窓の上方に固設されているので、手で電池７を取るときには、該トップレール１の上方から手を該収納空間に懸命に伸ばし入れなければ、電池７を取り出すことができない。また、ブラインド設置の美感をよくするために、該トップレール１の収納空間上方の開口部を室内の天井板８にくっ付け、またトップレール１の側壁を壁柱９に付けているので、電池７を取るときには、該トップレール１を外すかトップレール１を傾斜させなければ電池７を取り出すことができず、乾電池にしても蓄電池にしても、電力を使い切ったときには毎回、このように苦労して電池を交換しなければならないため、非常に煩わしかった。
本発明の目的は、簡単に取付け取り外しのできる電池による電動ブラインドを提供することにある。
【０００４】
【課題を解決するための手段】
上記目的を達成するために、本発明の請求項記載の電動ブラインドには主に、内壁に囲まれた収納空間を形成するトップレールと、スラット群と、該トップレールの収納空間に配設されて、該スラット群と連結された伝動機構とを有しており、該トップレールの外壁上にさらに少なくとも１つの電池収納室を形成し、該電池収納室は外向きに開口部を形成しているので、電池の配設に便利であり、しかも該電池は該伝動機構と電気的に接続されているので、該伝動機構に該スラット群を作動させる電力源を供給できることを特徴としている。
【０００５】
【発明の実施の形態】
発明の実施の形態を実施例にもとづき図面を参照して説明する。
図２と図３は、本発明の第１実施例で提供する電動ブラインド１００であり、主にトップレール１１、スラット群１２及び伝動機構１３を有している。
該トップレール１１は窓の上方に固設され、外壁１１１と内壁１１２の２面になっていて、該トップレール１１内部に該内壁１１２に囲まれた収納空間１１３を形成し、該トップレール１１底部の両側の外壁１１１の所定位置に、それぞれ該収納空間に連通する通孔１１４を形成し、該トップレール１１の１つの側の外壁１１１上に所定の深さと幅で窪ませた電池収納室１１５を形成し、該電池収納室１１５は外向きに外に通じる開口部１１６及び内向きに該収納空間１１３に連通する穿孔１１８を備えているほか、該トップレール１１には外郭が該開口部１１６に対応するカバー板１１７が備わっている。
【０００６】
該スラット群１２は複数のスラット１２１及びボトムレール１２３を備え、該スラット１２１は該トップレール１１の各通孔１１４に対応する箇所に、それぞれ貫通孔１２２を形成している。
該伝動機構１３は昇降制御装置１３１、ラダー制御装置１３２、動力モータアセンブリ１３３及び電池素子１３４を有している。
【０００７】
該昇降制御装置１３１は、該トップレール１１の収納空間１１３中に配設されて該通孔１１４に対応しており、且つ２つの昇降コード１３５がそれぞれ該各通孔１１４から穿出し、該スラット１２１の貫通孔１２２を通って、該ボトムレール１２３に固定接続されているため、該ボトムレール１２３の昇降及び位置決めを制御して、スラット１２１の伸展面積を変化させることができる。該ラダー制御装置１３２は、該トップレール１１の収納空間１１３中に配設されるとともに該通孔１１４に対応しており、且つ２つの昇降コード１３５がそれぞれ該通孔１１４から穿出し、該スラット１２１及び該ボトムレール１２３の両側に固定されているため、該スラット１２１の傾斜角度を制御して、ブラインドの遮蔽度を変化させることができる。該動力モータアセンブリ１３３は、該収納空間１１３中に配設され、該昇降制御装置１３１及び該ラダー制御装置１３２と接続されているので、該昇降制御装置１３１及び該ラダー制御装置１３２を該動力モータアセンブリ１３３の動きと連動させることができる。該電池素子１３４は、該動力モータアセンブリ１３３に電力を供給するもので、乾電池（円筒電池、方形電池、水銀電池）、蓄電池（板状電池）などでよく、本実施例においては板状電池が使われている。該電池素子１３４は、該電池収納室１１５の開口部１１６に置かれ、該電池収納室１１５に固設されて、電線または導電チップ（導電端子）などの導電物質が該穿孔１１８を通って該動力モータアセンブリ１３３と電気的に接続されているため、該動力モータアセンブリ１３３が該電池素子１３４の電力供給を受けて、該昇降制御装置１３１または該ラダー制御装置１３２を作動させる。さらに該カバー板１１７で該電池収納室１１５の開口部１１６を覆って、該電池素子１３４が該開口部１１６から該電池収納室１１５の外へ落ちることがないようにすると同時に、ブラインド全体の美観を向上させている。
【０００８】
図４と図５は、本発明の第２実施例で提供する電動ブラインド２００であり、上記実施例と同じようにトップレール２１、スラット群２２及び伝動機構２３を有している。第１実施例との主な相違点は、該トップレール２１側の外壁２１１上には窪みはないが穿孔２１２が設けられ、該トップレール２１の外壁２１１の１つの側に電池収納台２４が配設され、該電池収納台２４内部に所定の容積と形状の電池収納室２４１があって、且つ該電池収納台２４の１つの側に外及び該電池収納室２４１に連通する開口部２４２があって、該伝動機構２３の電池素子２３４を該開口部２４２から該電池収納室２４１に入れて固定させることができ、該伝動機構２３の動力モータアセンブリ２３１が電線または導電チップ（導電端子）などの導電物質によって該穿孔２１２を通って該電池素子２３４と電気的に接続されているので、同じように電池素子２３４の交換を効率よく便利に行うことができ、また該開口部２４２は同時にカバー板２５で覆っているので、電池素子２３４が外れないようにするととともに美観を向上させる効果がある。
【０００９】
図６と図７は、本発明の第３実施例であり、電池収納台２４’を同じようにトップレール２１’底部の外壁２１１’上に配設している。
図８と図９は、本発明の第４実施例で提供する電動ブラインド３００であり、上記実施例と同じようにトップレール３１、スラット群３２及び伝動機構３３を有している。上記実施例との主な相違点は、該トップレール３１側の外壁３１１上に、収納空間３１３に連通する開口部３１８が設けられ、また該収納空間３１３には電池接続台３４が設けられ、該電池接続台３４は該伝動機構３３の動力モータアセンブリ３３１と電気的に接続されていて、且つその一端には電気を誘導する導電端子３４１が備わり、該導電端子３４１は該収納空間３１３の開口部３１８にちょうど対応しているので、電池素子３３４を該開口部３１８から該収納空間３１３のなかに入れて、該導電端子３４１と固接させ、電気を誘導して、該動力モータアセンブリ３３１に該電池素子３３４の電力を送るほか、該開口部３１８はカバー板３１９で覆っているので、美観を向上させる効果を有している。
【００１０】
以上が本発明の各実施例における構成部材と組成方法および使用方法であるが、次に本発明における各実施例の長所を説明する。
電池素子（電池）の取付け部位が上記実施例における電池収納室であっても、または収納空間中であっても、該電池収納室または該収納空間はいずれも外向きに且つ外に連通する開口部を備えているので、電池をセットしたり手で取り出すのに便利であり、従来の電動ブラインドにおける電池交換の際にトップレールの収納空間から電池を取り出さなければならなかった不便さが改善された。
【図面の簡単な説明】
【図１】従来の電動ブラインドを示す斜視図である。
【図２】本発明の第１実施例による電動ブラインドを示す斜視図である。
【図３】本発明の第１実施例による電動ブラインドを示す上面図である。
【図４】本発明の第２実施例による電動ブラインドを示す斜視図である。
【図５】本発明の第２実施例による電動ブラインドを示す上面図である。
【図６】本発明の第３実施例による電動ブラインドを示す斜視図である。
【図７】本発明の第３実施例の側面図である。
【図８】本発明の第４実施例による電動ブラインドを示す斜視図である。
【図９】本発明の第４実施例による電動ブラインドを示す上面図である。
【符号の説明】
１１、２１、２１’、３１　　　　　トップレール
１２、２２、３２　　　　　　　　　スラット群
１３、２３、３３　　　　　　　　　伝動機構
１００、２００、３００　　　　　　　電動ブラインド
１１１、２１１、２１１’、３１１　　外壁
１１２　　　　　　　　　　　　　　　内壁
１１３、３１３　　　　　　　　　　　収納空間
１１５、２４１　　　　　　　　　　　電池収納室
１１６、２４２、３１８　　　　　　　開口部
１３４、２３４、３４　　　　　　　　電池素子
【図１】
2004019287.tif 000003
【図２】
2004019287.tif 000004
【図３】
2004019287.tif 000005
【図４】
2004019287.tif 000006
【図５】
2004019287.tif 000007
【図６】
2004019287.tif 000008
【図７】
2004019287.tif 000009
【図８】
2004019287.tif 000010
【図９】
2004019287.tif 000011